(57)【要約】  音声再生装置（１００）は、（ｉ）音声信号の信号レベルを検出する信号レベル検出手段（１０２）と、（ｉｉ）音声信号の増幅率を示す音圧レベルを変化させる音圧レベル調整手段（１０４）と、（ｉｉｉ）音声信号の周波数特性を、補正量に基づいて補正する周波数特性補正手段（１０６）と、（ｉｖ）信号レベル、及び音圧レベルに基づいて、補正量を決定し、決定された補正量に基づいて補正するように周波数特性補正手段を逐次制御する制御手段（１０３）とを備える。【特許請求の範囲】
【請求項１】
音声信号を、信号処理しつつ、再生する音声再生装置であって、
前記音声信号の信号レベルを検出する信号レベル検出手段と、
前記音声信号の増幅率を示す音圧レベルを変化させる音圧レベル調整手段と、
少なくとも前記音声信号の周波数特性を、補正量に基づいて補正する周波数特性補正手段と、
（ｉ）前記信号レベル、及び前記音圧レベルに基づいて、前記補正量を決定し、（ｉｉ）決定された前記補正量に基づいて補正するように前記周波数特性補正手段を逐次制御する制御手段と
を備えることを特徴とする音声再生装置。
【請求項２】
前記音声信号を再生するためのスピーカを更に備え、
前記周波数特性補正手段は、前記周波数特性に含まれる特定の周波数帯域を補正するために、前記スピーカの再生周波数帯域内の低域限界帯域において、前記音声信号の周波数特性を前記補正量に基づいて減衰、又は強調することを特徴とする請求の範囲第１項に記載の音声再生装置。
【請求項３】
前記音声信号を再生するためのスピーカを更に備え、
前記周波数特性補正手段は、前記周波数特性に含まれる特定の周波数帯域を補正するために、前記スピーカの反共振周波数帯域において、前記音声信号の周波数特性を前記補正量に基づいて減衰、又は強調することを特徴とする請求の範囲第１項に記載の音声再生装置。
【請求項４】
前記音声信号を再生するための、ポート型のスピーカを更に備え、
前記周波数特性補正手段は、前記周波数特性に含まれる特定の周波数帯域を補正するために、前記スピーカのポート共振周波数帯域において、前記音声信号の周波数特性を前記補正量に基づいて減衰、又は強調することを特徴とする請求の範囲第１項に記載の音声再生装置。
【請求項５】
前記音声信号を再生するための、振動板を有する密閉型のスピーカを更に備え、
前記周波数特性補正手段は、前記周波数特性に含まれる特定の周波数帯域を補正するために、前記振動板の変位が最大となる周波数帯域において、前記音声信号の周波数特性を前記補正量に基づいて減衰、又は強調することを特徴とする請求の範囲第１項に記載の音声再生装置。
【請求項６】
前記制御手段は、前記特定の周波数帯域より低い周波数帯域において、前記音声信号の周波数特性を前記補正量に基づいて減衰、又は強調し続けるように、前記周波数特性補正手段を制御することを特徴とする請求の範囲第２項に記載の音声再生装置。
【請求項７】
前記制御手段は、前記信号レベル、及び前記音圧レベルのうち少なくとも一方が大きくなる度合いに対応して、前記補正量を大きくさせることを特徴とする請求の範囲第１項に記載の音声再生装置。
【請求項８】
前記制御手段は、前記信号レベルが、第１所定値より大きくなると共に、前記音圧レベルが、第２所定値より大きくなる場合に、前記補正量を大きくさせることを特徴とする請求の範囲第１項に記載の音声再生装置。
【請求項９】
前記制御手段は、前記信号レベルが大きくなる第１度合いと、前記音圧レベルが大きくなる第２度合いとが略等しい場合に、前記第１度合い、及び第２度合いに対応して、前記補正量を大きくさせることを特徴とする請求の範囲第１項に記載の音声再生装置。
【請求項１０】
前記制御手段は、前記信号レベルが大きくなる第１度合いと、前記音圧レベルが大きくなる第２度合いとが等しくない場合に、前記第１度合い、及び第２度合いに対応して、前記補正量を大きくさせることを特徴とする請求の範囲第１項に記載の音声再生装置。
【請求項１１】
前記制御手段は、（ｉ）前記信号レベルが、第１所定値より小さくなる場合、又は（ｉｉ）前記音圧レベルが、第２所定値より小さくなる場合に、前記周波数特性を補正させないように前記周波数特性補正手段を制御することを特徴とする請求の範囲第１項に記載の音声再生装置。
【請求項１２】
前記制御手段は、（ｉ）前記信号レベル、及び前記音圧レベルのうち少なくとも一方が、相対的に高いレベルの場合、前記音声信号の周波数特性を前記補正量に基づいて減衰させ、（ｉｉ）前記一方が、相対的に低いレベルの場合、前記音声信号の周波数特性を前記補正量に基づいて強調させるように前記周波数特性補正手段を制御し、（ｉｉｉ）前記一方が、相対的に中位のレベルの場合、前記周波数特性を補正させないように前記周波数特性補正手段を制御することを特徴とする請求の範囲第１項に記載の音声再生装置。
【請求項１３】
音声信号を、信号処理しつつ、再生する音声再生装置における音声再生方法であって、  前記音声信号の信号レベルを検出する信号レベル検出工程と、
前記音声信号の増幅率を示す音圧レベルを変化させる音圧レベル調整工程と、
少なくとも前記音声信号の周波数特性を、補正量に基づいて補正する周波数特性補正工程と、
（ｉ）前記信号レベル、及び前記音圧レベルに基づいて、前記補正量を決定し、（ｉｉ）決定された前記補正量に基づいて補正するように前記周波数特性補正工程を逐次制御する制御工程と
を備えることを特徴とする音声再生方法。
【請求項１４】
請求の範囲第１項に記載の音声再生装置に備えられたコンピュータを制御する信号処理用のコンピュータプログラムであって、該コンピュータを、前記信号レベル検出手段、前記音圧レベル調整手段、前記周波数特性補正手段、及び、前記制御手段のうち少なくとも一部として機能させることを特徴とするコンピュータプログラム。
【発明の詳細な説明】
【技術分野】
【０００１】
本発明は、例えば音声信号を信号処理する音声再生装置及び方法（音声再生システム）、並びに、例えば信号処理用のコンピュータプログラムの技術分野に関する。
【背景技術】
【０００２】
音声の周波数帯域には、人間が聴感上、音量（音圧レベル）の変化を敏感に感じとれる周波数帯域と、そうでない周波数帯域とがある。例えば、１ｋＨｚ（キロヘルツ）付近の周波数帯域において音量（音圧レベル）が変化すると、人間はその変化を敏感に感じとることができる。【０００３】
そのため、近年、ＤＶＤ等の高密度記録媒体に記録された音楽や映画を楽しむための音声再生装置（オーディオシステム）においては、人間が聴感上の音量（音圧レベル）の変化を敏感に感じとれる周波数帯域や、そうでない周波数帯域における音圧レベルを補正するイコライザ等の補正手段によって、所謂、聴感補正（ラウドネスコントロール：Loudness Control）が行われている。このイコライザのオン、又はオフによって、音圧レベルを、減衰、又は強調させると、聴感上の音量を大きく変化させることが可能である。【０００４】
このイコライザ等を含む音声再生装置においては、ユーザが、例えば、主音量（メインボリューム）等の音量（音圧レベル）を調整した場合、例えば音量設定手段で設定された設定値に基づいて、例えば複数のプリアンプが、電子ボリューム集積回路（Electronic volume Integrated Circuit）、又はＡＳＰ（Audio Signal Processor）による利得制御（ゲインコントロール：Gain Control）の下で、プリアンプの増幅率が同時に変更される。【０００５】
そして、プリアンプにおいては、聴感補正が、音量設定手段で設定された設定値に基づいて行われる。詳細には、音量の設定値が小さい場合には、プリアンプにおける増幅率が、中音域と比較して低音域と高音域とにおいて増加するように、音量（音圧レベル）の周波数特性が補正される。ここに、本願発明に係る「周波数特性」とは、周波数をパラメータとした、例えば音声信号等の各種信号のレベル（大きさ）の変遷のことである。よって、スピーカから出力される聴感上の音量（音圧レベル）が、低音域と高音域とにおいて増加される、即ち強調（ブースト：boost）される。より詳細には、プリアンプは、上述した聴感補正を行うため、例えばフィルタ（filter）を有する聴感補正用の信号処理回路（以下適宜「聴感補正回路」と称す）を備えている。【０００６】
図１２は、一般的な聴感補正回路における、周波数をパラメータとした利得の変遷、即ち、利得の周波数特性を示している。図１２において、横軸は周波数を示し、縦軸は聴感補正回路における利得を示す。詳細には、縦軸の利得の周波数特性は、主音量の設定値が最大値を取る場合の利得、即ち、０（ｄＢ：デシベル）を基準として示されている。尚、本願においては、単位（ｄＢ：デシベル）の基準値は、値の種類に対応して、実験的、経験的、理論的、シミュレーション等によって個別具体的に決定されている。【０００７】
図１２に示されるように、最上部に位置する曲線は主音量の設定値が大きい場合、即ち、平均的な音量が大きい場合における、利得の周波数特性を示す。他方、最下部に位置する曲線は主音量の設定値が小さい場合、即ち、平均的な音量が小さい場合における、利得の周波数特性を示す。更に他方、中間部に位置する２つの曲線は、主音量の設定値が相対的に中位の場合における、利得の周波数特性を示す。【０００８】
従って、図１２から次のことが分かる。（ｉ）主音量の設定値が大きく設定されている場合、スピーカから出力される聴感上の音量（音圧レベル）も全体的に大きくされ、利得の周波数特性を示した曲線は、周波数に対して略フラットにされている。他方、（ｉｉ）主音量の設定値が小さく設定されている場合、スピーカから出力される聴感上の音量（音圧レベル）も概ね全体的に小さくされているが、利得の周波数特性を示した曲線は、１から２（ｋＨｚ）の周波数帯域の近傍において最小値をとり、この周波数帯域より低い周波数帯域と高い周波数帯域とで相対的に利得の値が大きくなるようにされている。【０００９】
特に、特許文献１等には、上述した聴感補正を発展させて、プリアンプの増幅率の周波数特性を補正するに際して、主音量の設定値が小さくなるに従って、所定周波数より小さい周波数における増幅率を大きくさせる音声再生装置について掲載されている。従って、例えば音量の設定値が小さい場合において、スピーカから出力される聴感上の音圧レベルが過大に強調（boost）され、音声の品質が劣化することを抑制することができる。【００１０】
【特許文献１】特開２００３−１５８８００号公報
【特許文献２】特開２００３−２７４４８３号公報
【特許文献３】特開平９−１８２１９７号公報
【特許文献４】特開平１１−１３６７９０号公報
【発明の開示】
【発明が解決しようとする課題】
【００１１】
しかしながら、例えば、上述した特許文献１等に示された音声再生装置では、（ｉ）ユーザによって、音量（音圧レベル）が大きく設定されると共に、（ｉｉ）スピーカの性能に依存する再生周波数帯域内の低域限界帯域（低周波数帯域）の近傍の帯域における信号レベルが大きい場合、スピーカから再生される音声が歪んでしまったり、異音が発生してしまったりして、ユーザにとって不快な音声になってしまう可能性があるという技術的な問題点を有している。一般的には、この技術的な問題点は、上述した低域限界帯域の近傍の帯域においては、スピーカ内の振動板の変位（振幅）が大きくなることに起因している。【００１２】
本発明は、例えば上述した問題点に鑑みなされたものであり、例えばスピーカからの音量がユーザによって大きく設定された場合でも、高品質の音声を再生することが可能な音声再生装置及び方法、並びに、コンピュータをこのような音声再生装置として機能させるコンピュータプログラムを提供することを課題とする。
【課題を解決するための手段】
【００１３】
（音声再生装置）
以下、本発明に係る音声再生装置について説明する。【００１４】
本発明の音声再生装置は上記課題を解決するために、音声信号を、信号処理しつつ、再生する音声再生装置であって、前記音声信号の信号レベル（信号の大きさ）を検出する信号レベル検出手段と、前記音声信号の増幅率を示す音圧レベル（増幅率、音量、ボリューム）を変化させる音圧レベル調整手段（音量調節手段：ユーザによる操作）と、少なくとも前記音声信号の周波数特性を、補正量に基づいて補正する周波数特性補正手段（イコライザ）と、（ｉ）前記信号レベル、及び前記音圧レベルに基づいて、前記補正量を決定し、（ｉｉ）決定された前記補正量に基づいて補正するように前記周波数特性補正手段を逐次制御する制御手段とを備える。【００１５】
本発明の音声再生装置によれば、先ず、信号レベル検出手段によって、音声信号の信号レベル（信号の大きさ）が検出される。と同時に、又は相前後して、例えばユーザの操作に基づいて、音圧レベル調整手段（音量調節手段）によって、音声信号の増幅率を示す音圧レベル（増幅率、音量、ボリューム）が変化される。  【００１６】
次に、制御手段によって、信号レベル、及び音圧レベルに基づいて、補正量が決定される。【００１７】
次に、制御手段の逐次制御下で、周波数特性補正手段によって、決定された補正量に基づいて、音声信号の周波数特性が補正される。【００１８】
特に、本発明では、（ｉ）ユーザによって、音圧レベルが大きく設定されると共に、（ｉｉ）スピーカの性能に依存する再生周波数帯域内の低域限界帯域の近傍の帯域における信号レベルが大きい場合であっても、音圧レベル、及び信号レベルの夫々の大きさに基づいて（連動して）、少なくとも音声信号の周波数特性が補正される。具体的には、低域限界帯域の近傍の帯域における音声信号の周波数特性が、音圧レベル、及び信号レベルの大きさに基づいて決定された補正量に基づいて減衰、又は強調される。【００１９】
この結果、スピーカから再生される音声の歪みの発生、又は、異音の発生（所謂、スピーカの破綻）を軽減することが可能となり、高品質な音声を大音量で再生することが可能となる。【００２０】
本発明の音声再生装置の一の態様では、前記音声信号を再生するためのスピーカを更に備え、前記周波数特性補正手段（イコライザ）は、前記周波数特性に含まれる特定の周波数帯域を補正するために、前記スピーカの再生周波数帯域内の低域限界帯域において、前記音声信号の周波数特性を前記補正量に基づいて減衰、又は強調する。【００２１】
この態様によれば、スピーカの性能に依存する再生周波数帯域内の低域限界帯域の近傍の帯域において、スピーカから再生される音声の歪みの発生、又は、異音の発生（所謂、スピーカの破綻）をより軽減することが可能となる。【００２２】
本発明の音声再生装置の他の態様では、前記音声信号を再生するためのスピーカを更に備え、前記周波数特性補正手段（イコライザ）は、前記周波数特性に含まれる特定の周波数帯域を補正するために、前記スピーカの反共振周波数帯域において、前記音声信号の周波数特性を前記補正量に基づいて減衰、又は強調する。【００２３】
この態様によれば、スピーカの反共振周波数帯域において、スピーカから再生される音声の歪みの発生、又は、異音の発生（所謂、スピーカの破綻）をより軽減することが可能となる。【００２４】
本発明の音声再生装置の他の態様では、前記音声信号を再生するための、ポート型のスピーカを更に備え、前記周波数特性補正手段（イコライザ）は、前記周波数特性に含まれる特定の周波数帯域を補正するために、前記スピーカのポート共振周波数帯域において、前記音声信号の周波数特性を前記補正量に基づいて減衰、又は強調する。【００２５】
この態様によれば、スピーカのポート共振周波数帯域において、スピーカから再生される音声の歪みの発生、又は、異音の発生（所謂、スピーカの破綻）をより軽減することが可能となる。【００２６】
本発明の音声再生装置の他の態様では、前記音声信号を再生するための、振動板を有する密閉型のスピーカを更に備え、前記周波数特性補正手段（イコライザ）は、前記周波数特性に含まれる特定の周波数帯域を補正するために、前記振動板の変位が最大となる周波数帯域において、前記音声信号の周波数特性を前記補正量に基づいて減衰、又は強調する。【００２７】
この態様によれば、スピーカに備えられた振動板の変位が最大となる周波数帯域において、スピーカから再生される音声の歪みの発生、又は、異音の発生（所謂、スピーカの破綻）をより軽減することが可能となる。【００２８】
上述した制御手段に係る態様では、前記制御手段は、前記特定の周波数帯域より低い周波数帯域において、前記音声信号の周波数特性を前記補正量に基づいて減衰、又は強調し続けるように、前記周波数特性補正手段を制御するように構成してもよい。【００２９】
このように構成すれば、スピーカの性能等に依存する特定の周波数帯域より低い周波数帯域において、スピーカから再生される音声の歪みの発生、又は、異音の発生（所謂、スピーカの破綻）をより軽減することが可能となる。【００３０】
本発明の音声再生装置の他の態様では、前記制御手段は、前記信号レベル、及び前記音圧レベルのうち少なくとも一方が大きくなる度合いに対応して、前記補正量を大きくさせる。【００３１】
この態様によれば、信号レベル、及び音圧レベルの大きさに、より的確且つ高精度に対応した補正量に基づいて、周波数特性の補正を行うことが可能となる。【００３２】
本発明の音声再生装置の他の態様では、前記制御手段は、前記信号レベルが、第１所定値より大きくなると共に、前記音圧レベルが、第２所定値より大きくなる場合に、前記補正量を大きくさせる。【００３３】
この態様によれば、（ｉ）信号レベルの大きさと第１所定値との比較、並びに（ｉｉ）音圧レベルの大きさと第２所定値との比較に基づいて、より的確且つ高精度に対応した補正量に基づいて、周波数特性の補正を行うことが可能となる。【００３４】
本発明の音声再生装置の他の態様では、前記制御手段は、前記信号レベルが大きくなる第１度合いと、前記音圧レベルが大きくなる第２度合いとが略等しい場合に、前記第１度合い、及び第２度合いに対応して、前記補正量を大きくさせる。【００３５】
この態様によれば、（ｉ）信号レベルが大きくなる第１度合い、並びに（ｉｉ）第１度合いと略等しい、音圧レベルが大きくなる第２度合いに基づいて、より的確且つ高精度に対応した補正量に基づいて、周波数特性の補正を行うことが可能となる。【００３６】
本発明の音声再生装置の他の態様では、前記制御手段は、前記信号レベルが大きくなる第１度合いと、前記音圧レベルが大きくなる第２度合いとが等しくない場合に、前記第１度合い、及び第２度合いに対応して、前記補正量を大きくさせる。【００３７】
この態様によれば、（ｉ）信号レベルが大きくなる第１度合い、並びに（ｉｉ）第１度合いと略等しくない、音圧レベルが大きくなる第２度合いに基づいて、より的確且つ高精度に対応した補正量に基づいて、周波数特性の補正を行うことが可能となる。【００３８】
本発明の音声再生装置の他の態様では、前記制御手段は、（ｉ）前記信号レベルが、第１所定値より小さくなる場合、又は（ｉｉ）前記音圧レベルが、第２所定値より小さくなる場合に、前記周波数特性を補正させないように前記周波数特性補正手段を制御する。【００３９】
この態様によれば、（ｉ）信号レベルが、第１所定値より小さくなる場合、又は（ｉｉ）音圧レベルが、第２所定値より小さくなる場合、周波数特性の補正を行なわない。従って、より効率的に周波数特性の補正を行うことが可能となる。【００４０】
本発明の音声再生装置の他の態様では、前記制御手段は、（ｉ）前記信号レベル、及び前記音圧レベルのうち少なくとも一方が、相対的に高いレベルの場合、前記音声信号の周波数特性を前記補正量に基づいて減衰させ、（ｉｉ）前記一方が、相対的に低いレベルの場合、前記音声信号の周波数特性を前記補正量に基づいて強調させるように前記周波数特性補正手段を制御し、（ｉｉｉ）前記一方が、相対的に中位のレベルの場合、前記周波数特性を補正させないように前記周波数特性補正手段を制御する。【００４１】
この態様によれば、信号レベル、及び音圧レベルの大きさに、より的確且つ高精度に対応した補正量に基づいて、周波数特性の補正を、減衰させる方向、又は強調させる方向に行うことが可能となる。【００４２】
（音声再生方法）
以下、本発明に係る音声再生方法について説明する。【００４３】
本発明の音声再生方法は上記課題を解決するために、音声信号を、信号処理しつつ、再生する音声再生装置における音声再生方法であって、前記音声信号の信号レベル（信号の大きさ）を検出する信号レベル検出工程と、前記音声信号の増幅率を示す音圧レベル（増幅率、音量、ボリューム）を変化させる音圧レベル調整工程（音量調節手段：ユーザによる操作）と、少なくとも前記音声信号の周波数特性を、補正量に基づいて補正する周波数特性補正工程（イコライザ）と、（ｉ）前記信号レベル、及び前記音圧レベルに基づいて、前記補正量を決定し、（ｉｉ）決定された前記補正量に基づいて補正するように前記周波数特性補正工程を逐次制御する制御工程とを備える。【００４４】
本発明の音声再生方法によれば、上述した本発明の音声再生装置が有する各種利益を享受することが可能となる。【００４５】
尚、上述した本発明の音声再生装置が有する各種態様に対応して、本発明の音声再生方法も各種態様を採ることが可能である。【００４６】
（コンピュータプログラム）
以下、本発明に係るコンピュータプログラムについて説明する。【００４７】
本発明の信号処理用のコンピュータプログラムは上記課題を解決するために、上述した本発明の音声再生装置（但し、その各種態様を含む）に備えられたコンピュータを制御する信号処理用のコンピュータプログラムであって、該コンピュータを、前記信号レベル検出手段、前記音圧レベル調整手段、前記周波数特性補正手段、及び、前記制御手段のうち少なくとも一部として機能させる。【００４８】
本発明に係るコンピュータプログラムによれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の音声再生装置を比較的簡単に実現できる。【００４９】
尚、上述した本発明の音声再生装置における各種態様に対応して、本発明のコンピュータプログラムも各種態様を採ることが可能である。【００５０】
コンピュータ読取可能な媒体内のコンピュータプログラム製品は上記課題を解決するために、上述した本発明の音声再生装置（但し、その各種態様を含む）に備えられたコンピュータにより実行可能なプログラム命令を明白に具現化し、該コンピュータを、前記信号レベル検出手段、前記音圧レベル調整手段、前記周波数特性補正手段、及び、前記制御手段のうち少なくとも一部として機能させる。【００５１】
本発明のコンピュータプログラム製品によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の音声再生装置を比較的容易に実施可能となる。更に具体的には、当該コンピュータプログラム製品は、上述した本発明の音声再生装置として機能させるコンピュータ読取可能なコード（或いはコンピュータ読取可能な命令）から構成されてよい。【００５２】
本発明のこのような作用及び他の利得は次に説明する実施例から明らかにされる。【００５３】
以上説明したように、本発明の音声再生装置及び方法によれば、信号レベル検出手段及び工程、音圧レベル調整手段及び工程、周波数特性補正手段及び工程、並びに、制御手段及び工程を備える。従って、スピーカから再生される音声の歪みの発生、又は、異音の発生（所謂、スピーカの破綻）を軽減することが可能となり、高品質な音声を大音量で再生することが可能となる。【００５４】
また、本発明のコンピュータプログラムによれば、コンピュータを上述した本発明の音声再生装置として機能させるので、音声再生装置をして、スピーカから再生される音声の歪みの発生、又は、異音の発生（所謂、スピーカの破綻）を軽減させることが可能となり、高品質な音声を大音量で再生させることが可能となる。
【図面の簡単な説明】
【００５５】
【図１】本発明の音声再生装置の基本構成を示したブロック図である。
【図２】本発明の音声再生装置の動作原理を示したフローチャートである。
【図３】本発明に係る信号レベルの大きさにのみ対応して変動する減衰量に基づく周波数特性を示したグラフ（図３（ａ））、並びに、本発明に係る音圧レベルの大きさにのみ対応して変動する減衰量に基づく周波数特性を示したグラフ（図３（ｂ））である。
【図４】本発明に係る信号レベル、及び音圧レベルの両方の大きさに対応して変動する減衰量を２次元的に示したグラフ（図４（ａ））、並びに、本発明に係る信号レベル、及び音圧レベルの両方の大きさに対応して変動する減衰量を３次元的に示したグラフ（図４（ｂ））である。
【図５】本発明に係る信号レベル、及び音圧レベルの両方の大きさに対応して変動する他の減衰量を２次元的に示したグラフ（図５（ａ））、並びに、本発明に係る信号レベル、及び音圧レベルの両方の大きさに対応して変動する更に他の減衰量を２次元的に示したグラフ（図５（ｂ））である。
【図６】本発明に係る特定の周波数帯域の一の具体例を決定するための、バスレフ型のスピーカにおける、音圧レベルの周波数特性図（図６（ａ））、並びに、ポート部分における流速の周波数特性図（図６（ｂ））である。
【図７】本発明に係る特定の周波数帯域の他の具体例を決定するための、密閉型のスピーカにおける、音圧レベルの周波数特性図（図７（ａ））、並びに、振動板の変位の周波数特性図（図７（ｂ））である。
【図８】本発明に係る音声再生装置の第２実施例の基本構成を示したブロック図である。
【図９】本発明に係る音声再生装置の第２実施例の動作原理を示したフローチャートである。
【図１０】本発明に係る信号レベルの大きさにのみ対応して変動する強調量に基づく周波数特性を示したグラフ（図１０（ａ））、並びに、本発明に係る音圧レベルの大きさにのみ対応して変動する減衰量に基づく周波数特性を示したグラフ（図１０（ｂ））である。
【図１１】本発明に係る信号レベル、及び音圧レベルの両方の大きさに対応して変動する強調量を２次元的に示したグラフ（図１１（ａ））、並びに、本発明に係る信号レベル、及び音圧レベルの両方の大きさに対応して変動する強調量を３次元的に示したグラフ（図１１（ｂ））である。
【図１２】一般的な聴感補正回路における、周波数をパラメータとした利得の変遷、即ち、利得の周波数特性図である。
【符号の説明】
【００５６】
１００  音声再生装置
１０１  入力端子
１０２  信号レベル検出手段
１０３  減衰量制御手段
１０４  ボリューム調整手段
１０５  電子ボリューム集積回路
１０６  周波数特性補正手段
１０７  アンプ（amplifier）
１０８  スピーカ
２００  第２周波数特性補正手段
【発明を実施するための最良の形態】
【００５７】
以下、本発明を実施するための最良の形態について実施例毎に順に図面に基づいて説明する。【００５８】
（１）  音声再生装置の第１実施例
先ず、図１から図７を参照して、本発明の音声再生装置について説明する。【００５９】
（１−１）  基本構成
先ず、図１を参照して、本発明の音声再生装置の基本構成について説明する。ここに、図１は、本発明の音声再生装置の基本構成を示したブロック図である。【００６０】
図１に示されるように、例えばＡＶレシーバ（AV receiver）等の、本発明の音声再生装置１００は、（ｉ）音声信号が入力される入力端子１０１、（ｉｉ）音声信号の信号レベルを検出する信号レベル検出手段１０２、（ｉｉｉ）本願発明に係る「制御手段」の一具体例である減衰量制御手段１０３、（ｉｖ）本願発明に係る「音圧レベル調整手段」の一具体例であるボリューム調整手段１０４、（ｖ）電子ボリューム集積回路（Electronic volume Integrated Circuit）１０５、（ｖｉ）決定された減衰量（補正量）に基づいて、特定の周波数帯域の信号レベル（言い換えると、音声信号の周波数特性）を減衰することが可能な、例えばイコライザ等の周波数特性補正手段１０６、（ｖｉｉ）アンプ（amplifier）１０７、及び（ｖｉｉｉ）スピーカ１０８を備えて構成されている。尚、周波数特性補正手段１０６においては、特定の周波数帯域は５６（Ｈｚ）、最大減衰量は６（ｄＢ）、共振先鋭度（Ｑ）は４に設定されている。また、周波数特性補正手段１０６は、特定の周波数帯域を連続的に変動可能であるようにしてもよい。【００６１】
（１−２）  動作原理
次に、図２に加えて、前述した図１を適宜参照して、本発明の音声再生装置の動作原理について説明する。ここに、図２は、本発明の音声再生装置の動作原理を示したフローチャートである。【００６２】
図２に示されるように、先ず、本発明の音声再生装置１００において、入力端子１０１から入力された音声信号の信号レベルが、信号レベル検出手段１０２によって、検出される（ステップＳ１０１）。【００６３】
ステップＳ１０１と同時に、又は、相前後して、例えばユーザによるツマミ操作の下、ボリューム調整手段１０４によって、音圧レベルの調整が行われる（ステップＳ１０２）。【００６４】
次に、減衰量制御手段１０３によって、（ｉ）検出された信号レベル、及び（ｉｉ）調整された音圧レベルに基づいて、本願発明に係る補正量の一具体例である減衰量が決定される（ステップＳ１０３）。尚、この減衰量の決定方法については、後述の周波数特性の補正原理において説明される。【００６５】
次に、周波数特性補正手段１０６によって、決定された減衰量（補正量）だけ、音声信号の特定の周波数帯域のレベルが減衰される（ステップＳ１０４）。尚、この特定の周波数帯域の決定方法については、後述の周波数特性の補正原理において説明される。【００６６】
次に、ボリューム調整手段１０４によって調整された音圧レベルに基づいて、電子ボリューム集積回路１０５によって、特定の周波数帯域のレベルが減衰された音声信号が、アンプ１０７に出力される（ステップＳ１０５）。【００６７】
次に、アンプ１０７によって、増幅された音声信号が、スピーカに出力される（ステップＳ１０６）。【００６８】
最後に、スピーカ１０８によって、特定の周波数帯域のレベルが減衰された音声信号を含む音声が出力される（ステップＳ１０７）。【００６９】
（１−３）  周波数特性の補正原理
次に、図３から図７を参照して、本発明の周波数特性の補正原理の一及び他の具体例について説明する。【００７０】
（１−３−１）  信号レベルの大きさにのみ対応して変動する減衰量
先ず、図３（ａ）を参照して、信号レベルの大きさにのみ対応して変動する減衰量に基づく周波数特性の補正原理の一の具体例について説明する。ここに、図３（ａ）は、本発明に係る信号レベルの大きさにのみ対応して変動する減衰量に基づく周波数特性を示したグラフである。尚、図３（ａ）中の横軸は、周波数（Ｈｚ：ヘルツ）を示し、縦軸は、音声再生装置１００から出力される音声信号のレベル（ｄＢ：デシベル）を示す。【００７１】
図３（ａ）に示されるように、本発明の周波数特性補正手段１０６によって、音声信号が、特定の周波数帯域において、信号レベルの大きさに対応して変動する減衰量だけ減衰される。この減衰量は、減衰量制御手段１０３によって逐次的に決定される。特に、この図３（ａ）中では、音圧レベルの大きさは、固定されている。【００７２】
具体的には、図３（ａ）中の最上部に位置する、信号レベルが１番目に高い、音声再生装置１００から出力される音声信号の周波数特性に対応される曲線「１」に示されるように、特定の周波数帯域（例えば５６（Ｈｚ））において、最大の減衰量「ｄ１」（尚、ｄ１＝６（ｄＢ）、共振先鋭度（Ｑ）＝４）だけ減衰される。同様にして、図３（ａ）中の上から２番目に位置する、信号レベルが２番目に高い、音声再生装置１００から出力される音声信号の周波数特性に対応される曲線「２」に示されるように、特定の周波数帯域（５６（Ｈｚ））において、２番目に大きい減衰量「ｄ２」だけ減衰される。以下、同様にして、図３（ａ）中の上から１３番目に位置する、信号レベルが１３番目に高い、音声再生装置１００から出力される音声信号の周波数特性に対応される曲線「１３」に示されるように、特定の周波数帯域（５６（Ｈｚ））において、１３番目に大きい（即ち、１番目に小さい）減衰量「ｄ１３」だけ減衰される。【００７３】
他方、図３（ａ）中の上から１４番目に位置する、信号レベルが１４番目に高い、音声再生装置１００から出力される音声信号の周波数特性に対応される曲線「１４」に示されるように、特定の周波数帯域（５６（Ｈｚ））においては、減衰されない。同様にして、図３（ａ）中の上から１５番目に位置する、信号レベルが１５番目に高い、音声再生装置１００から出力される音声信号の周波数特性に対応される曲線「１５」に示されるように、特定の周波数帯域（５６（Ｈｚ））においても、減衰されない。以下、同様にして、図３（ａ）中の上から２１番目に位置する（下から１番目に位置する）、信号レベルが２１番目に高い（１番目に低い）、音声再生装置１００から出力される音声信号の周波数特性に対応される曲線「２１」に示されるように、特定の周波数帯域（５６（Ｈｚ））においても、減衰されない。【００７４】
以上のように、本発明の周波数特性の補正原理の一の具体例においては、（ｉ）信号レベルが、相対的に高いレベルの場合、音声再生装置１００に入力された音声信号の特定周波数帯域を減衰量（信号レベルの大きさに比例する大きさの減衰量）だけ減衰させ、（ｉｉ）信号レベルが、相対的に低いレベルの場合、周波数特性を補正させない、即ち、フラット特性にする。【００７５】
（１−３−２）  音圧レベルの大きさにのみ対応して変動する減衰量
次に、図３（ｂ）を参照して、音圧レベルの大きさにのみ対応して変動する減衰量に基づく周波数特性の補正原理の他の具体例について説明する。ここに、図３（ｂ）は、本発明に係る音圧レベルの大きさにのみ対応して変動する減衰量に基づく周波数特性を示したグラフである。尚、図３（ｂ）中の横軸は、周波数（Ｈｚ：ヘルツ）を示し、縦軸は、音声再生装置１００から出力される音声信号のレベル（ｄＢ：デシベル）を示す。【００７６】
図３（ｂ）に示されるように、本発明の周波数特性補正手段１０６によって、音声信号が、特定の周波数帯域において、音圧レベルの大きさに対応して変動する減衰量だけ減衰される。この減衰量は、減衰量制御手段１０３によって逐次的に決定される。特に、この図３（ｂ）中では、信号レベルの大きさは、固定されている。【００７７】
具体的には、図３（ｂ）中の最上部に位置する、音圧レベルが１番目に高い、音声再生装置１００から出力される音声信号の周波数特性に対応される曲線「ｓ１」に示されるように、特定の周波数帯域（例えば５６（Ｈｚ））において、最大の減衰量「ｄｓ１」だけ減衰される。同様にして、図３（ｂ）中の上から２番目に位置する、音圧レベルが２番目に高い、音声再生装置１００から出力される音声信号の周波数特性に対応される曲線「ｓ２」に示されるように、特定の周波数帯域（５６（Ｈｚ））において、２番目に大きい減衰量「ｄｓ２」だけ減衰される。以下、同様にして、図３（ｂ）中の上から１３番目に位置する、音圧レベルが１３番目に高い、音声再生装置１００から出力される音声信号の周波数特性に対応される曲線「ｓ１３」に示されるように、特定の周波数帯域（５６（Ｈｚ））において、１３番目に大きい（即ち、１番目に小さい）減衰量「ｄｓ１３」だけ減衰される。【００７８】
他方、図３（ｂ）中の上から１４番目に位置する、音圧レベルが１４番目に高い、音声再生装置１００から出力される音声信号の周波数特性に対応される曲線「ｓ１４」に示されるように、特定の周波数帯域（５６（Ｈｚ））においては、減衰されない。同様にして、図３（ｂ）中の上から１５番目に位置する、音圧レベルが１５番目に高い、音声再生装置１００から出力される音声信号の周波数特性に対応される曲線「ｓ１５」に示されるように、特定の周波数帯域（５６（Ｈｚ））においても、減衰されない。以下、同様にして、図３（ｂ）中の上から２１番目に位置する（下から１番目に位置する）、音圧レベルが２１番目に高い（１番目に低い）、音声再生装置１００から出力される音声信号の周波数特性に対応される曲線「ｓ２１」に示されるように、特定の周波数帯域（５６（Ｈｚ））においても、減衰されない。【００７９】
以上のように、本発明の周波数特性の補正原理の他の具体例においては、（ｉ）音圧レベルが、相対的に高いレベルの場合、音声再生装置１００に入力された音声信号の特定周波数帯域を減衰量（音圧レベルの大きさに比例する大きさの減衰量）だけ減衰させ、（ｉｉ）音圧レベルが、相対的に低いレベルの場合、周波数特性を補正させない、即ち、フラット特性にする。【００８０】
（１−３−３）信号レベル、及び音圧レベルの両方の大きさに対応して変動する減衰量  次に、図４を参照して、信号レベル、及び音圧レベルの両方の大きさに対応して変動する減衰量に基づく周波数特性の補正原理の他の具体例について説明する。ここに、図４は、本発明に係る信号レベル、及び音圧レベルの両方の大きさに対応して変動する減衰量を２次元的に示したグラフ（図４（ａ））、並びに、本発明に係る信号レベル、及び音圧レベルの両方の大きさに対応して変動する減衰量を３次元的に示したグラフ（図４（ｂ））である。尚、図４（ａ）、又は、図４（ｂ）中のＸ軸は、信号レベルの大きさ（ｄＢ：デシベル）を示し、Ｙ軸は、音圧レベルの大きさ（ｄＢ：デシベル）を示し、Ｚ軸は、減衰量の大きさ（ｄＢ：デシベル）を示す。更に、図４（ａ）中の線の太さは、減衰量の大きさを相対的に示す。【００８１】
図４（ａ）、及び図４（ｂ）に示されるように、周波数特性の補正原理の他の具体例においては、減衰量は、信号レベル、及び音圧レベルの両方の大きさに対応して変動するようにしてもよい。具体的には、減衰量は、図４（ａ）中の点「Ａ」（（Ｘ軸の座標、Ｙ軸の座標、Ｚ軸の座標）＝（Ａ１、０、０））と点「Ｂ」（（Ｘ軸の座標、Ｙ軸の座標、Ｚ軸の座標）＝（０、Ｂ２、０））とを結ぶ直線より、右上側の領域に存在する点によって示される、信号レベル、及び音圧レベルの両方の大きさに対応して変動するようにしてもよい。尚、「Ａ１」によって、本願発明に係る「第１所定値」の一例が示されており、「Ｂ２」によって、本願発明に係る「第２所定値」の一例が示されている。【００８２】
詳細には、点「Ｃ」（（Ｘ軸の座標、Ｙ軸の座標、Ｚ軸の座標）＝（Ｃ１、Ｃ２、Ｃ３））によって示されるように、信号レベルが「Ｃ１」であり、音圧レベルが「Ｃ２」である場合、減衰量は「Ｃ３」であるようにしてもよい。同様にして、点「Ｄ」（（Ｘ軸の座標、Ｙ軸の座標、Ｚ軸の座標）＝（Ｄ１、Ｄ２、Ｃ３））によって示されるように、信号レベルが「Ｄ１」であり、音圧レベルが「Ｄ２」である場合も、減衰量は「Ｃ３」であるようにしてもよい。更に、点「Ｅ」（（Ｘ軸の座標、Ｙ軸の座標、Ｚ軸の座標）＝（Ｅ１、Ｅ２、Ｅ３））によって示されるように、信号レベルが「Ｅ１」であり、音圧レベルが「Ｅ２」である場合も、減衰量は「Ｅ３」であるようにしてもよい。但し、「Ｅ３」は、「Ｃ３」より大きい。【００８３】
他方、点「Ｆ」（（Ｘ軸の座標、Ｙ軸の座標、Ｚ軸の座標）＝（Ａ１、Ｂ２、０））によって示されるように、信号レベルが「Ａ１」であり、音圧レベルが「Ｂ２」である場合、減衰量は「０」、即ち、減衰させないようにしてもよい。【００８４】
（１−３−４）信号レベル（音圧レベル）等の大きさに対応して変動する他の減衰量
次に、図５を参照して、信号レベル、及び音圧レベルの両方の大きさに対応して変動する他の減衰量について説明する。ここに、図５は、本発明に係る信号レベル、及び音圧レベルの両方の大きさに対応して変動する他の減衰量を２次元的に示したグラフ（図５（ａ））、並びに、本発明に係る信号レベル、及び音圧レベルの両方の大きさに対応して変動する更に他の減衰量を２次元的に示したグラフ（図５（ｂ））である。【００８５】
図５（ａ）に示されるように、信号レベルの大きさに対応して変動する減衰量の増加の度合いを、音圧レベルの大きさに対応して変動する減衰量の増加の度合いより大きくするようにしてもよい。【００８６】
或いは、図５（ｂ）に示されるように、信号レベルの大きさに対応して変動する減衰量の増加の度合いを、音圧レベルの大きさに対応して変動する減衰量の増加の度合いより小さくするようにしてもよい。【００８７】
（１−３−５）特定の周波数帯域の一の具体例
次に、図６を参照して、本発明に係る特定の周波数帯域の一の具体例について説明する。ここに、図６は、本発明に係る特定の周波数帯域の一の具体例を決定するための、バスレフ型のスピーカにおける、音圧レベルの周波数特性図（図６（ａ））、並びに、ポート部分における流速の周波数特性図（図６（ｂ））である。尚、これらの周波数特性図は、次の３つの条件下での各種の測定により得られる。（ｉ）スピーカ内の容積が２５（Liter）であり、（ｉｉ）ポートにおける直径は５（ｃｍ）であり、（ｉｉｉ）１（Ｗ）の電力に対応される音圧レベルを出力する際、ポートにおける共振周波数は、４０（Ｈｚ）である。【００８８】
図６（ａ）、及び図６（ｂ）に示されるように、本発明に係る「特定の周波数帯域」は、例えば、バスレフ型のスピーカにおいては、例えば周波数が、約４０（Ｈｚ）を中心とする周波数帯域であるようにしてもよい。より具体的には、約４０（Ｈｚ）を中心とする周波数帯域とは、約２０％だけ誤差を保持する範囲であるようにしてもよい。具体的には、約４０（Ｈｚ）を中心とする周波数帯域とは、約３２（Ｈｚ）から約４８（Ｈｚ）の範囲の帯域であるようにしてもよい。更に、或いは、共振先鋭度を、２から６の間にする条件を満たす帯域であるようにしてもよい。【００８９】
詳細には、本実施例のバスレフ型のスピーカにおいては、図６（ａ）中の実線の曲線で示されるように、スピーカから出力される音圧レベルは、約４０（Ｈｚ）の近傍で、増加率が大きく減少し始め、約５０（Ｈｚ）より大きい周波数では、概ね一定（フラット）になることが分かる。特に、この人間の聴感上の音圧レベルの周波数特性は、図６（ａ）中の点線（下三角印）で示されたポートからの音圧レベルの周波数特性と、図６（ａ）中の一点鎖線（四角印）で示されたスピーカからの音圧レベルの周波数特性との和によって求めることができる。加えて、図６（ｂ）中の実線の曲線で示されるように、バスレフ型のスピーカにおいては、ポート内を移動する空気の流速は、約４０（Ｈｚ）を中心とする周波数帯域（所謂、ポートにおける共振周波数）において、最大の値をとることが分かる。【００９０】
（１−３−６）特定の周波数帯域の他の具体例
次に、図７を参照して、本発明に係る特定の周波数帯域の他の具体例について説明する。ここに、図７は、本発明に係る特定の周波数帯域の他の具体例を決定するための、密閉型のスピーカにおける、音圧レベルの周波数特性図（図７（ａ））、並びに、振動板の変位の周波数特性図（図７（ｂ））である。【００９１】
図７（ａ）、及び図７（ｂ）に示されるように、本発明に係る「特定の周波数帯域」は、例えば、密閉型のスピーカにおいては、例えば周波数が、約６０（Ｈｚ）を中心とする周波数帯域であるようにしてもよい。【００９２】
詳細には、本実施例の密閉型のスピーカにおいては、図７（ａ）中の実線の曲線で示されるように、人間の聴感上の音圧レベルは、約６０から８０（Ｈｚ）の帯域で、増加率が大きく減少し始め、約９０（Ｈｚ）より大きい周波数では、概ね一定（フラット）になることが分かる。加えて、図７（ｂ）中の実線の曲線で示されるように、密閉型のスピーカにおいては、スピーカに有される振動板は、約６０（Ｈｚ）を中心とする周波数帯域において、最大の値をとることが分かる。【００９３】
上述した特定の周波数帯域の一及び他の具体例において説明したように、例えばバスレフ型や、密閉型のスピーカにおいては、例えば上述したような各種パラメータの周波数特性を考慮して、特定の周波数帯域が決定される。【００９４】
特に、本実施例では、スピーカは、例えばパッシブラジエーター型のスピーカ等の他の種類のスピーカでもよい。この場合、スピーカのキャビネットにおける、音響的性質や機械的性質に基づく共振周波数によって、特定の周波数帯域を決定するようにしてもよい。
具体的には、ポートにおける共振周波数、パッシブラジエーター型のスピーカにおける共振周波数、音響的性質や機械的性質に基づく共振周波数のうち、例えば１００（Ｈｚ）より低い周波数帯域を特定の周波数帯域としてもよい。【００９５】
更に、特に、本発明に係る特定の周波数帯域は、例えば音声再生装置に備えられたスピーカの性能等に応じて、製造時等において、予め固定された値が設定されていてもよい。
或いは、例えば独立して別に購入されたスピーカの性能等に応じて、音声再生装置によって、例えばマイクによる測定等の手法により、自動的に設定可能とされていてもよい。更に、或いは、複数の値の中から、音声再生装置によって、自動的に設定可能とされていてもよい。更に、或いは、複数の値の中から、ユーザ等によって、手動的に設定可能とされていてもよい。【００９６】
（１−３−７）  第１実施例の効果
上述したように、第１実施例では、（ｉ）ユーザによって、音圧レベルが大きく設定されると共に、（ｉｉ）スピーカの性能に依存する再生周波数帯域内の低域限界帯域の近傍の帯域における信号レベルが大きい場合であっても、音圧レベル、及び信号レベルの夫々の大きさに基づいて（連動して）、少なくとも音声信号の周波数特性が補正される。具体的には、低域限界帯域の近傍の帯域における音声信号の周波数特性が、音圧レベル、及び信号レベルの大きさに基づいて決定された補正量に基づいて減衰、又は強調される。【００９７】
この結果、スピーカから再生される音声の歪みの発生、又は、異音の発生（所謂、スピーカの破綻）を軽減することが可能となり、高品質な音声を大音量で再生することが可能となる。【００９８】
（２）  音声再生装置の第２実施例
次に、図８から図１０を参照して、本発明に係る音声再生装置の第２実施例について説明する。【００９９】
（２−１）  基本構成、及び動作原理
先ず、図８を参照して、本発明に係る音声再生装置の第２実施例の基本構成について説明する。ここに、図８は、本発明に係る音声再生装置の第２実施例の基本構成を示したブロック図である。尚、図８において、前述した第１実施例に係る構成要素と同様の構成要素には、同様の符号番号を付し、それらの説明は適宜、省略する。【０１００】
図８に示されるように、本発明に係る音声再生装置の第２実施例は、前述した第１実施例に係る構成要素に加えて、特定の周波数帯域における信号レベル（言い換えると、音声信号の周波数特性）を強調する第２周波数特性補正手段２００を、更に備えて構成されている。尚、第２周波数特性補正手段２００においては、特定の周波数帯域は５６（Ｈｚ）、最大強調量は１０（ｄＢ）、共振先鋭度（Ｑ）は４．５に設定されている。また、第２周波数特性補正手段２００は、特定の周波数帯域を固定可能であるようにしてもよい。【０１０１】
（２−２）  動作原理
次に、図９に加えて、前述した図８を適宜参照して、本発明に係る音声再生装置の第２実施例の動作原理について説明する。ここに、図９は、本発明に係る音声再生装置の第２実施例の動作原理を示したフローチャートである。尚、図９において、前述した第１実施例に係る処理と同様の処理には、同様のステップ番号を付し、それらの説明は適宜、省略する。【０１０２】
先ず、第２周波数特性補正手段２００によって、（ｉ）検出された信号レベル、及び（ｉｉ）調整された音圧レベルに基づいて、本願発明に係る補正量の他の具体例である強調量（ブースト量：Boost量）が設定される（ステップＳ２０１）。尚、この強調量の決定方法については、後述の周波数特性の補正原理において説明される。【０１０３】
次に、第２周波数特性補正手段２００によって、設定された強調量（補正量）だけ、音声信号の特定の周波数帯域のレベルが強調される（ステップＳ２０２）。【０１０４】
（２−３）  周波数特性の補正原理
次に、図１０を参照して、本発明の周波数特性の補正原理の一及び他の具体例について説明する。特に、第２実施例では、周波数特性補正手段１０６による周波数特性の補正と、第２周波数特性補正手段２００による周波数特性の補正が合成される。【０１０５】
（２−３−１）  信号レベルの大きさにのみ対応して変動する強調量
先ず、図１０（ａ）を参照して、信号レベルの大きさにのみ対応して変動する強調量に基づく周波数特性の補正原理の一の具体例について説明する。ここに、図１０（ａ）は、本発明に係る信号レベルの大きさにのみ対応して変動する強調量に基づく周波数特性を示したグラフである。尚、図１０（ａ）中の横軸は、周波数（Ｈｚ：ヘルツ）を示し、縦軸は、音声再生装置１００から出力される音声信号のレベル（ｄＢ：デシベル）を示す。【０１０６】
図１０（ａ）に示されるように、第２周波数特性補正手段２００によって、音声信号が、特定の周波数帯域において、信号レベルの大きさに対応して変動する強調量だけ強調される。この強調量は、例えば第２周波数特性補正手段２００によって、逐次的に決定されるようにしてもよい。特に、この図１０（ａ）中では、音圧レベルの大きさは、固定されている。【０１０７】
具体的には、図１０（ａ）中の最下部に位置する、信号レベルが１番目に低い、音声再生装置１００から出力される音声信号の周波数特性に対応される曲線「３１」に示されるように、特定の周波数帯域（例えば５６（Ｈｚ））において、最大の強調量「ｄ３１」（尚、ｄ３１＝１０（ｄＢ）、共振先鋭度（Ｑ）＝４．５）だけ強調される。同様にして、図１０（ａ）中の下から２番目に位置する、信号レベルが２番目に低い、音声再生装置１００から出力される音声信号の周波数特性に対応される曲線「３０」に示されるように、特定の周波数帯域（５６（Ｈｚ））において、２番目に大きい強調量「ｄ３０」だけ強調される。以下、同様にして、図１０（ａ）中の上から１６番目に位置する、信号レベルが１６番目に高い、音声再生装置１００から出力される音声信号の周波数特性に対応される曲線「１６」に示されるように、特定の周波数帯域（５６（Ｈｚ））において、１６番目に大きい（即ち、１番目に小さい）強調量「ｄ１６」だけ強調される。【０１０８】
他方、図１０（ａ）中の上から１５番目に位置する、信号レベルが１５番目に高い、音声再生装置１００から出力される音声信号の周波数特性に対応される曲線「１５」に示されるように、特定の周波数帯域（５６（Ｈｚ））においては、強調されない。【０１０９】
尚、図１０（ａ）中の上から１から１４番目に位置する、信号レベルが１から１４番目に高い、音声再生装置１００から出力される音声信号の周波数特性に対応される曲線「１」から「１４」については、前述した、「（１−３−１）信号レベルの大きさにのみ対応して変動する減衰量」における説明と概ね同様であるので省略する。【０１１０】
以上のように、本発明の周波数特性の補正原理の他の具体例においては、（ｉ）信号レベルが、相対的に高いレベルの場合、音声再生装置１００に入力された音声信号の特定周波数帯域を減衰量（信号レベルの大きさに比例する大きさの減衰量）だけ減衰させ、（ｉｉ）信号レベルが、相対的に低いレベルの場合、音声再生装置１００に入力された音声信号の特定周波数帯域を強調量（信号レベルの大きさに反比例する大きさの強調量）だけ強調させ、（ｉｉｉ）信号レベルが、相対的に中位のレベルの場合、周波数特性を補正させない、即ち、フラット特性にさせる。【０１１１】
（２−３−２）  音圧レベルの大きさにのみ対応して変動する減衰量
次に、図１０（ｂ）を参照して、音圧レベルの大きさにのみ対応して変動する強調量に基づく周波数特性の補正原理の他の具体例について説明する。ここに、図１０（ｂ）は、本発明に係る音圧レベルの大きさにのみ対応して変動する減衰量に基づく周波数特性を示したグラフである。尚、図１０（ｂ）中の横軸は、周波数（Ｈｚ：ヘルツ）を示し、縦軸は、音声再生装置１００から出力される音声信号のレベル（ｄＢ：デシベル）を示す。【０１１２】
図１０（ｂ）に示されるように、第２周波数特性補正手段２００によって、音声信号が、特定の周波数帯域において、音圧レベルの大きさに対応して変動する強調量だけ強調される。この強調量は、例えば第２周波数特性補正手段２００によって、逐次的に決定されるようにしてもよい。特に、この図１０（ｂ）中では、信号レベルの大きさは、固定されている。【０１１３】
具体的には、図１０（ｂ）中の最下部に位置する、音圧レベルが１番目に低い、音声再生装置１００から出力される音声信号の周波数特性に対応される曲線「ｓ３１」に示されるように、特定の周波数帯域（例えば５６（Ｈｚ））において、最大の強調量「ｄｓ３１」だけ強調される。同様にして、図１０（ｂ）中の下から２番目に位置する、音圧レベルが２番目に低い、音声再生装置１００から出力される音声信号の周波数特性に対応される曲線「ｓ３０」に示されるように、特定の周波数帯域（５６（Ｈｚ））において、２番目に大きい強調量「ｄｓ３０」だけ強調される。以下、同様にして、図１０（ｂ）中の上から１６番目に位置する、音圧レベルが１６番目に高い、音声再生装置１００から出力される音声信号の周波数特性に対応される曲線「ｓ１６」に示されるように、特定の周波数帯域（５６（Ｈｚ））において、１６番目に大きい（即ち、１番目に小さい）強調量「ｄｓ１６」だけ強調される。【０１１４】
他方、図１０（ｂ）中の上から１５番目に位置する、音圧レベルが１５番目に高い、音声再生装置１００から出力される音声信号の周波数特性に対応される曲線「ｓ１５」に示されるように、特定の周波数帯域（５６（Ｈｚ））においては、強調されない。【０１１５】
尚、図１０（ｂ）中の上から１から１４番目に位置する、音圧レベルが１から１４番目に高い、音声再生装置１００から出力される音声信号の周波数特性に対応される曲線「ｓ１」から「ｓ１４」については、前述した、「（１−３−２）音圧レベルの大きさにのみ対応して変動する減衰量」における説明と概ね同様であるので省略する。【０１１６】
以上のように、本発明の周波数特性の補正原理の他の具体例においては、（ｉ）音圧レベルが、相対的に高いレベルの場合、音声再生装置１００に入力された音声信号の特定周波数帯域を減衰量（音圧レベルの大きさに比例する大きさの減衰量）だけ減衰させ、（ｉｉ）音圧レベルが、相対的に低いレベルの場合、音声再生装置１００に入力された音声信号の特定周波数帯域を強調量（音圧レベルの大きさに反比例する大きさの強調量）だけ強調させ、（ｉｉｉ）音圧レベルが、相対的に中位のレベルの場合、周波数特性を補正させない、即ち、フラット特性にさせる。【０１１７】
（２−３−３）信号レベル、及び音圧レベルの両方の大きさに対応して変動する強調量  次に、図１１を参照して、信号レベル、及び音圧レベルの両方の大きさに対応して変動する強調量に基づく周波数特性の補正原理の他の具体例について説明する。ここに、図１１は、本発明に係る信号レベル、及び音圧レベルの両方の大きさに対応して変動する強調量を２次元的に示したグラフ（図１１（ａ））、並びに、本発明に係る信号レベル、及び音圧レベルの両方の大きさに対応して変動する強調量を３次元的に示したグラフ（図１１（ｂ））である。尚、図１１（ａ）、又は、図１１（ｂ）中のＸ軸は、信号レベルの大きさ（ｄＢ：デシベル）を示し、Ｙ軸は、音圧レベルの大きさ（ｄＢ：デシベル）を示し、Ｚ軸は、強調量の大きさ（ｄＢ：デシベル）を示す。更に、図１１（ａ）中の線の太さは、強調量の大きさを相対的に示す。【０１１８】
図１１（ａ）、及び図１１（ｂ）に示されるように、周波数特性の補正原理の他の具体例においては、強調量は、信号レベル、及び音圧レベルの両方の大きさに対応して変動するようにしてもよい。具体的には、強調量は、図１１（ａ）中の点「Ｇ」（（Ｘ軸の座標、Ｙ軸の座標、Ｚ軸の座標）＝（Ｇ１、０、０））と点「Ｈ」（（Ｘ軸の座標、Ｙ軸の座標、Ｚ軸の座標）＝（０、Ｈ２、０））とを結ぶ直線より、左下側の領域に存在する点によって示される、信号レベル、及び音圧レベルの両方の大きさに対応して変動するようにしてもよい。尚、「Ｇ１」によって、本願発明に係る「第１所定値」の他の例が示されており、「Ｈ２」によって、本願発明に係る「第２所定値」の他の例が示されている。【０１１９】
詳細には、点「Ｉ」（（Ｘ軸の座標、Ｙ軸の座標、Ｚ軸の座標）＝（Ｉ１、Ｉ２、Ｉ３））によって示されるように、信号レベルが「Ｉ１」であり、音圧レベルが「Ｉ２」である場合、強調量は「Ｉ３」であるようにしてもよい。同様にして、点「Ｊ」（（Ｘ軸の座標、Ｙ軸の座標、Ｚ軸の座標）＝（Ｊ１、Ｊ２、Ｉ３））によって示されるように、信号レベルが「Ｊ１」であり、音圧レベルが「Ｊ２」である場合も、強調量は「Ｉ３」であるようにしてもよい。特に、強調量は、図１１（ａ）に示されるように、信号レベル、又は、音圧レベルが小さくなるに従って、大きくさせ、所定の強調量（最大の強調量）になると、その値を一定にさせるようにしてもよい。【０１２０】
（２−３−４）  第２実施例の効果
上述したように、第２実施例では、周波数特性補正手段１０６による周波数特性の補正と、第２周波数特性補正手段２００による周波数特性の補正が合成される。従って、信号レベル、及び音圧レベルの大きさに、より的確且つ高精度に対応した補正量に基づいて、周波数特性の補正を行うことが可能となる。【０１２１】
この結果、第２実施例によれば、（ｉ）ユーザによって、音圧レベルが小さく設定されると共に、低域限界帯域の近傍の帯域における信号レベルが小さい場合、（ｉｉ）音圧レベルが大きく設定されると共に、低域限界帯域の近傍の帯域における信号レベルが小さい場合、或いは（ｉｉｉ）音圧レベルが小さく設定されると共に、低域限界帯域の近傍の帯域における信号レベルが大きい場合等において、低域限界帯域の近傍の帯域における音声信号の周波数特性が、音圧レベル、及び信号レベルの大きさに基づいて決定された補正量に基づいて強調される。【０１２２】
以上の結果、スピーカから再生される音声の重量感を維持すること、又は、音声において高い明瞭度を維持することが可能となり、高品質な音声を小音量で再生することも可能となる。【０１２３】
上述した実施例に係る音声再生装置による処理の対象となる音声信号は、アナログ信号であってもデジタル信号であってもよい。また、本実施例に係る音声再生装置による信号処理は、音声信号に限らず、動画信号、静止画信号、通信信号、何らかの低周波信号、及び高周波信号等を含む信号等の、周波数特性を有する信号に適用可能である。【０１２４】
更に、上述した実施例では、音声再生装置の一具体例として、例えば、イコライザ等の周波数特性補正装置を備える、ＡＶレシーバ等の音声再生装置について説明したが、本発明は、例えば、グラフィックイコライザや、パラメトリックイコライザ等の周波数特性補正装置を備える、ＡＶレシーバ等の音声再生装置にも適用可能である。更には、民生用の音声再生装置だけではなく、例えば業務用のコンサートホールや、店舗等の大きな空間における音声再生装置にも適用可能である。【０１２５】
本発明は、上述した実施例に限られるものではなく、請求の範囲及び明細書全体から読み取れる発明の要旨或いは思想に反しない範囲で適宜変更可能であり、そのような変更を伴う音声再生装置及び方法、並びにコンピュータプログラムもまた本発明の技術的範囲に含まれるものである。
【産業上の利用可能性】
【０１２６】
本発明に係る音声再生装置及び方法、並びに、コンピュータプログラムは、例えば音声信号を信号処理する音声再生装置及び方法（音声再生システム）に利用可能である。また、例えば民生用或いは業務用の各種コンピュータ機器に搭載される又は各種コンピュータ機器に接続可能な音声再生装置等にも利用可能である。
【図１】
2006093256.tif 000002
【図２】
2006093256.tif 000003
【図３】
2006093256.tif 000004
【図４】
2006093256.tif 000005
【図５】
2006093256.tif 000006
【図６】
2006093256.tif 000007
【図７】
2006093256.tif 000008
【図８】
2006093256.tif 000009
【図９】
2006093256.tif 000010
【図１０】
2006093256.tif 000011
【図１１】
2006093256.tif 000012
【図１２】
2006093256.tif 000013
【手続補正書】
【提出日】平成18年12月25日(2006.12.25)
【手続補正１】
【補正対象書類名】特許請求の範囲
【補正対象項目名】全文
【補正方法】変更
【補正の内容】
【特許請求の範囲】
【請求項１】
音声信号を、信号処理しつつ、再生する音声再生装置であって、
前記音声信号の信号レベルを検出する信号レベル検出手段と、
前記音声信号の増幅率を示す音圧レベルを変化させる音圧レベル調整手段と、
少なくとも前記音声信号の周波数特性を、補正量に基づいて補正する周波数特性補正手段と、
（ｉ）前記信号レベル、及び前記音圧レベルに基づいて、前記補正量を決定し、（ｉｉ）決定された前記補正量に基づいて、前記音声信号の周波数特性を、少なくとも減衰するように前記周波数特性補正手段を逐次制御する制御手段と
を備えることを特徴とする音声再生装置。
【請求項２】
前記音声信号を再生するためのスピーカを更に備え、
前記周波数特性補正手段は、前記周波数特性に含まれる特定の周波数帯域を補正するために、（ｉ）前記スピーカの再生周波数帯域内の低域限界帯域において、前記信号レベル、及び前記音圧レベルのうち少なくとも一方が相対的に高いレベルである前記音声信号の周波数特性を前記補正量に基づいて減衰すると共に、（ｉｉ）前記低域限界帯域において、前記一方が相対的に低いレベルである前記音声信号の周波数特性を前記補正量に基づいて強調する第２周波数特性補正手段を含むことを特徴とする請求の範囲第１項に記載の音声再生装置。
【請求項３】
前記音声信号を再生するためのスピーカを更に備え、
前記周波数特性補正手段は、前記周波数特性に含まれる特定の周波数帯域を補正するために、（ｉ）前記スピーカの反共振周波数帯域において、前記信号レベル、及び前記音圧レベルのうち少なくとも一方が相対的に高いレベルである前記音声信号の周波数特性を前記補正量に基づいて減衰すると共に、（ｉｉ）前記反共振周波数帯域において、前記一方が相対的に低いレベルである前記音声信号の周波数特性を前記補正量に基づいて強調する第２周波数特性補正手段を含むことを特徴とする請求の範囲第１項に記載の音声再生装置。
【請求項４】
前記音声信号を再生するための、ポート型のスピーカを更に備え、
前記周波数特性補正手段は、前記周波数特性に含まれる特定の周波数帯域を補正するために、（ｉ）前記スピーカのポート共振周波数帯域において、前記信号レベル、及び前記音圧レベルのうち少なくとも一方が相対的に高いレベルである前記音声信号の周波数特性を前記補正量に基づいて減衰すると共に、（ｉｉ）前記ポート共振周波数帯域において、前記一方が相対的に低いレベルである前記音声信号の周波数特性を前記補正量に基づいて強調する第２周波数特性補正手段を含むことを特徴とする請求の範囲第１項に記載の音声再生装置。
【請求項５】
前記音声信号を再生するための、振動板を有する密閉型のスピーカを更に備え、
前記周波数特性補正手段は、前記周波数特性に含まれる特定の周波数帯域を補正するために、（ｉ）前記振動板の変位が最大となる周波数帯域において、前記信号レベル、及び前記音圧レベルのうち少なくとも一方が相対的に高いレベルである前記音声信号の周波数特性を前記補正量に基づいて減衰すると共に、（ｉｉ）前記振動板の変位が最大となる周波数帯域において、前記一方が相対的に低いレベルである前記音声信号の周波数特性を前記補正量に基づいて強調する第２周波数特性補正手段を含むことを特徴とする請求の範囲第１項に記載の音声再生装置。
【請求項６】
前記制御手段は、（ｉ）前記特定の周波数帯域より低い周波数帯域において、前記信号レベル、及び前記音圧レベルのうち少なくとも一方が相対的に高いレベルである前記音声信号の周波数特性を前記補正量に基づいて減衰し続けるように、前記周波数特性補正手段を制御すると共に、（ｉｉ）前記特定の周波数帯域より低い周波数帯域において、前記一方が相対的に低いレベルである前記音声信号の周波数特性を前記補正量に基づいて強調し続けるように、前記第２周波数特性補正手段を制御することを特徴とする請求の範囲第２項に記載の音声再生装置。
【請求項７】
前記制御手段は、前記信号レベル、及び前記音圧レベルのうち少なくとも一方が大きくなる度合いに対応して、前記補正量を大きくさせることを特徴とする請求の範囲第１項に記載の音声再生装置。
【請求項８】
前記制御手段は、前記信号レベルが、第１所定値より大きくなると共に、前記音圧レベルが、第２所定値より大きくなる場合に、前記補正量を大きくさせることを特徴とする請求の範囲第１項に記載の音声再生装置。
【請求項９】
前記制御手段は、前記信号レベルが大きくなる第１度合いと、前記音圧レベルが大きくなる第２度合いとが略等しい場合に、前記第１度合い、及び第２度合いに対応して、前記補正量を大きくさせることを特徴とする請求の範囲第１項に記載の音声再生装置。
【請求項１０】
前記制御手段は、前記信号レベルが大きくなる第１度合いと、前記音圧レベルが大きくなる第２度合いとが等しくない場合に、前記第１度合い、及び第２度合いに対応して、前記補正量を大きくさせることを特徴とする請求の範囲第１項に記載の音声再生装置。
【請求項１１】
前記制御手段は、（ｉ）前記信号レベルが、第１所定値より小さくなる場合、又は（ｉｉ）前記音圧レベルが、第２所定値より小さくなる場合に、前記周波数特性を補正させないように前記周波数特性補正手段を制御することを特徴とする請求の範囲第１項に記載の音声再生装置。
【請求項１２】
前記制御手段は、（ｉ）前記信号レベル、及び前記音圧レベルのうち少なくとも一方が、相対的に高いレベルの場合、前記音声信号の周波数特性を前記補正量に基づいて減衰させ、（ｉｉ）前記一方が、相対的に低いレベルの場合、前記音声信号の周波数特性を前記補正量に基づいて強調させるように前記周波数特性補正手段を制御し、（ｉｉｉ）前記一方が、相対的に中位のレベルの場合、前記周波数特性を補正させないように前記周波数特性補正手段を制御することを特徴とする請求の範囲第１項に記載の音声再生装置。
【請求項１３】
音声信号を、信号処理しつつ、再生する音声再生装置における音声再生方法であって、前記音声信号の信号レベルを検出する信号レベル検出工程と、
前記音声信号の増幅率を示す音圧レベルを変化させる音圧レベル調整工程と、
少なくとも前記音声信号の周波数特性を、補正量に基づいて補正する周波数特性補正工程と、
（ｉ）前記信号レベル、及び前記音圧レベルに基づいて、前記補正量を決定し、（ｉｉ）決定された前記補正量に基づいて、前記音声信号の周波数特性を、少なくとも減衰するように前記周波数特性補正工程を逐次制御する制御工程と
を備えることを特徴とする音声再生方法。
【請求項１４】
請求の範囲第１項に記載の音声再生装置に備えられたコンピュータを制御する信号処理用のコンピュータプログラムであって、該コンピュータを、前記信号レベル検出手段、前記音圧レベル調整手段、前記周波数特性補正手段、及び、前記制御手段のうち少なくとも一部として機能させることを特徴とするコンピュータプログラム。
【請求項１５】
前記周波数特性補正手段は、（ｉ）前記音声信号の周波数特性を前記補正量に基づいて減衰すると共に、（ｉｉ）前記音声信号の周波数特性を前記補正量に基づいて強調する第２周波数特性補正手段を含むことを特徴とする請求の範囲第１項に記載の音声再生装置。
【手続補正書】
【提出日】平成19年9月4日(2007.9.4)
【手続補正１】
【補正対象書類名】特許請求の範囲
【補正対象項目名】全文
【補正方法】変更
【補正の内容】
【特許請求の範囲】
【請求項１】
音声信号を、信号処理しつつ、再生する音声再生装置であって、
前記音声信号の信号レベルを検出する信号レベル検出手段と、
前記音声信号の増幅率を示す音圧レベルを変化させる音圧レベル調整手段と、
少なくとも前記音声信号の周波数特性を、補正量に基づいて補正する周波数特性補正手段と、
（ｉ）前記信号レベル、及び前記音圧レベルに基づいて、前記補正量を決定し、（ｉｉ）決定された前記補正量に基づいて、前記音声信号の周波数特性を、少なくとも減衰するように前記周波数特性補正手段を逐次制御する制御手段と
を備えることを特徴とする音声再生装置。
【請求項２】
前記音声信号を再生するためのスピーカを更に備え、
前記周波数特性補正手段は、前記周波数特性に含まれる特定の周波数帯域を補正するために、（i）前記スピーカの再生周波数帯域内の低域限界帯域において、前記信号レベル、及び前記音圧レベルのうち少なくとも一方が相対的に高いレベルである前記音声信号の周波数特性を前記補正量に基づいて減衰すると共に、（ii）前記低域限界帯域において、前記一方が相対的に低いレベルである前記音声信号の周波数特性を前記補正量に基づいて強調する第２周波数特性補正手段を含むことを特徴とする請求項１に記載の音声再生装置。
【請求項３】
前記音声信号を再生するためのスピーカを更に備え、
前記周波数特性補正手段は、前記周波数特性に含まれる特定の周波数帯域を補正するために、（i）前記スピーカの反共振周波数帯域において、前記信号レベル、及び前記音圧レベルのうち少なくとも一方が相対的に高いレベルである前記音声信号の周波数特性を前記補正量に基づいて減衰すると共に、（ii）前記反共振周波数帯域において、前記一方が相対的に低いレベルである前記音声信号の周波数特性を前記補正量に基づいて強調する第２周波数特性補正手段を含むことを特徴とする請求項１に記載の音声再生装置。
【請求項４】
前記音声信号を再生するための、ポート型のスピーカを更に備え、
前記周波数特性補正手段は、前記周波数特性に含まれる特定の周波数帯域を補正するために、（i）前記スピーカのポート共振周波数帯域において、前記信号レベル、及び前記音圧レベルのうち少なくとも一方が相対的に高いレベルである前記音声信号の周波数特性を前記補正量に基づいて減衰すると共に、（ii）前記ポート共振周波数帯域において、前記一方が相対的に低いレベルである前記音声信号の周波数特性を前記補正量に基づいて強調する第２周波数特性補正手段を含むことを特徴とする請求項１に記載の音声再生装置。
【請求項５】
前記音声信号を再生するための、振動板を有する密閉型のスピーカを更に備え、
前記周波数特性補正手段は、前記周波数特性に含まれる特定の周波数帯域を補正するために、（i）前記振動板の変位が最大となる周波数帯域において、前記信号レベル、及び前記音圧レベルのうち少なくとも一方が相対的に高いレベルである前記音声信号の周波数特性を前記補正量に基づいて減衰すると共に、（ii）前記振動板の変位が最大となる周波数帯域において、前記一方が相対的に低いレベルである前記音声信号の周波数特性を前記補正量に基づいて強調する第２周波数特性補正手段を含むことを特徴とする請求項１に記載の音声再生装置。
【請求項６】
前記制御手段は、（i）前記特定の周波数帯域より低い周波数帯域において、前記信号レベル、及び前記音圧レベルのうち少なくとも一方が相対的に高いレベルである前記音声信号の周波数特性を前記補正量に基づいて減衰し続けるように、前記周波数特性補正手段を制御すると共に、（ii）前記特定の周波数帯域より低い周波数帯域において、前記一方が相対的に低いレベルである前記音声信号の周波数特性を前記補正量に基づいて強調し続けるように、前記第２周波数特性補正手段を制御することを特徴とする請求項２から５のうちいずれか一項に記載の音声再生装置。
【請求項７】
前記制御手段は、前記信号レベル、及び前記音圧レベルのうち少なくとも一方が大きくなる度合いに対応して、前記補正量を大きくさせることを特徴とする請求項１から６のうちいずれか一項に記載の音声再生装置。
【請求項８】
前記制御手段は、前記信号レベルが、第１所定値より大きくなると共に、前記音圧レベルが、第２所定値より大きくなる場合に、前記補正量を大きくさせることを特徴とする請求項１から７のうちいずれか一項に記載の音声再生装置。
【請求項９】
前記制御手段は、前記信号レベルが大きくなる第１度合いと、前記音圧レベルが大きくなる第２度合いとが略等しい場合に、前記第１度合い、及び第２度合いに対応して、前記補正量を大きくさせることを特徴とする請求項１から８のうちいずれか一項に記載の音声再生装置。
【請求項１０】
前記制御手段は、前記信号レベルが大きくなる第１度合いと、前記音圧レベルが大きくなる第２度合いとが等しくない場合に、前記第１度合い、及び第２度合いに対応して、前記補正量を大きくさせることを特徴とする請求項１から９のうちいずれか一項に記載の音声再生装置。
【請求項１１】
前記制御手段は、（ｉ）前記信号レベルが、第１所定値より小さくなる場合、又は（ｉｉ）前記音圧レベルが、第２所定値より小さくなる場合に、前記周波数特性を補正させないように前記周波数特性補正手段を制御することを特徴とする請求項１から１０のうちいずれか一項に記載の音声再生装置。
【請求項１２】
前記制御手段は、（ｉ）前記信号レベル、及び前記音圧レベルのうち少なくとも一方が、相対的に高いレベルの場合、前記音声信号の周波数特性を前記補正量に基づいて減衰させ、（ｉｉ）前記一方が、相対的に低いレベルの場合、前記音声信号の周波数特性を前記補正量に基づいて強調させるように前記周波数特性補正手段を制御し、（ｉｉｉ）前記一方が、相対的に中位のレベルの場合、前記周波数特性を補正させないように前記周波数特性補正手段を制御することを特徴とする請求項１から１１のうちいずれか一項に記載の音声再生装置。
【請求項１３】
音声信号を、信号処理しつつ、再生する音声再生装置における音声再生方法であって、
前記音声信号の信号レベルを検出する信号レベル検出工程と、
前記音声信号の増幅率を示す音圧レベルを変化させる音圧レベル調整工程と、
少なくとも前記音声信号の周波数特性を、補正量に基づいて補正する周波数特性補正工程と、
（ｉ）前記信号レベル、及び前記音圧レベルに基づいて、前記補正量を決定し、（ｉｉ）決定された前記補正量に基づいて、前記音声信号の周波数特性を、少なくとも減衰するように前記周波数特性補正工程を逐次制御する制御工程と
を備えることを特徴とする音声再生方法。
【請求項１４】
請求項１に記載の音声再生装置に備えられたコンピュータを制御する信号処理用のコンピュータプログラムであって、該コンピュータを、前記信号レベル検出手段、前記音圧レベル調整手段、前記周波数特性補正手段、及び、前記制御手段のうち少なくとも一部として機能させることを特徴とするコンピュータプログラム。
【請求項１５】
前記周波数特性補正手段は、（i）前記音声信号の周波数特性を前記補正量に基づいて減衰すると共に、（ii）前記音声信号の周波数特性を前記補正量に基づいて強調する第２周波数特性補正手段を含むことを特徴とする請求項１から１２のうちいずれか一項に記載の音声再生装置。
【国際調査報告】
2006093256.tif 000014
2006093256.tif 000015